(57)【特許請求の範囲】
【請求項１】
異なるタイプのイベントを実行するために使用可能な移動体電話にデータを記憶する方法であって、前記異なるタイプのイベントは異なる方法で、異なるメニュー・チャネルを通じて調査され、前記方法は前記移動体電話のプロセッサによって実行され、
前記移動体電話を用いて実行及び記憶された異なるタイプのイベントに関連するデータに割り当て可能なタグであって、ラベルとして用いることによって情報を分類可能なタグを定義するステップと、
前記タグを用いる時間期間を定義するステップと、
前記時間期間の間に前記移動体電話内に記憶されたすべてのイベントに関連するデータに前記タグを割り当てるステップと
を備え、
前記異なるタイプのイベントは、前記移動体電話からの呼及び前記移動体電話への呼と、前記移動体電話から送信された電子メッセージ及び前記移動体電話へ送信された電子メッセージと、前記移動体電話で受信された仮想名刺と、前記移動体電話で撮影されたデジタル写真及びビデオデータと、前記移動体電話で録音されたオーディオデータと、前記移動体電話で作成又は受信されたデータファイルと、前記移動体電話でのウェブサイトへのアクセスとのうちの２つ以上を含むことを特徴とする方法。
【請求項２】
複数のタグを備えるタグ目録を生成するステップであって、該タグ目録において、それぞれのタグは、該それぞれのタグと一緒に記憶された前記イベントのリストを開くために、ユーザ・インタフェースによりアクセス可能であるステップを備えることを特徴とする請求項１に記載の方法。
【請求項３】
時間期間を定義する前記ステップは、
今後用いられる前記タグを設定することによって開始時刻を定義するステップと、
前記タグの使用を終了するコマンドの入力によって停止時刻を定義するステップと
を含むことを特徴とする請求項１又は２に記載の方法。
【請求項４】
時間期間を定義する前記ステップは、前記タグが使用される開始時刻と停止時刻とを定義するステップを含むことを特徴とする請求項１又は２に記載の方法。
【請求項５】
タグを定義する前記ステップは、複数の特定のイベントから、どのタイプ又はタイプ群のイベントにタグ付けするかを選択するステップを含むことを特徴とする請求項１乃至４の何れか１項に記載の方法。
【請求項６】
それぞれのタグを用いる時間期間に関連付けられた複数のタグを定義するステップと、
ある時点で記憶されたイベントに関連するデータに、前記時点をカバーする時間期間に関連付けられている２以上のタグを割り当てるステップと
を備えることを特徴とする請求項１乃至５の何れか１項に記載の方法。
【請求項７】
異なるタイプのイベントを実行するために使用可能な移動体電話に記憶されたデータにアクセスする方法であって、前記異なるタイプのイベントは異なる方法で、異なるメニュー・チャネルを通じて調査され、前記方法は前記移動体電話のプロセッサによって実行され、
定義された時間期間の間に用いられ、前記定義された時間期間の間に前記移動体電話を用いて実行及び記憶された異なるタイプのすべてのイベントに関連するデータに割り当てられるタグであって、ラベルとして用いることによって情報を分類可能なタグを選択するために、ユーザ・インタフェースを動作するステップと、
前記選択されたタグと一緒に記憶された前記イベントのリストを提示するステップと、
を備え、
前記異なるタイプのイベントは、前記移動体電話からの呼及び前記移動体電話への呼と、前記移動体電話から送信された電子メッセージ及び前記移動体電話へ送信された電子メッセージと、前記移動体電話で受信された仮想名刺と、前記移動体電話で撮影されたデジタル写真及びビデオデータと、前記移動体電話で録音されたオーディオデータと、前記移動体電話で作成又は受信されたデータファイルと、前記移動体電話でのウェブサイトへのアクセスとのうちの２つ以上を含むことを特徴とする方法。
【請求項８】
複数のタグを備えるタグ目録を提示するステップであって、該タグ目録において、それぞれのタグは、該それぞれのタグと一緒に記憶された前記イベントのリストを開くために、ユーザ・インタフェースによりアクセス可能であるステップを備えることを特徴とする請求項７に記載の方法。
【請求項９】
イベントのタイプを選択するために前記ユーザ・インタフェースを動作するステップと、
前記選択されたタグと一緒に記憶されている前記選択されたタイプのイベントのリストを提示するステップと
を備えることを特徴とする請求項７又は８に記載の方法。
【発明の詳細な説明】
【技術分野】
【０００１】
本発明は、他の電子装置と通信して、データの作成および受信をするような、様々なタスクまたはイベントを実行するために使用可能な電子装置に関する。このようなイベントは、プログラム・ファイルの形式のオブジェクト・データやログ・データのような、イベントに関連するデータとして記憶される。従って、典型的に、本発明は、コンピュータや移動体電話の形式の電子機器に関する。より具体的には、本発明は、イベントに所定のカテゴリーを割り当てるためにイベントにタグを付ける方法に関し、所定の時間期間内に実行されるすべてのイベントに対して一つ且つ同一のタグが用いられる。
【背景技術】
【０００２】
コンピュータ、移動体電話、およびオーディオ／ビデオ装置のような電子装置の使用は、ここ数十年に世界中で非常に大きく発展してきている。電子機器、特に移動体電話、ノート型コンピュータ、携帯情報端末（ＰＤＡ）、ｍｐ３プレーヤなどのような携帯用途の電子機器をより小さく作るために、多くの努力がなされてきている。電子部品の小型化と、より効率的なバッテリの開発とから、多くの助けが得られてきている。移動体通信において、たった数十年で、通信システムはアナログからディジタルに移行してきていて、同時に通信用移動体電話の寸法はブリーフケース・サイズから今日の電話のポケット・サイズに移行してきている。さらに今日では、移動体電話はますます小さくなっていて、一般的にサイズは最終顧客にとって重要な要素と考えられる。
【０００３】
携帯用コンピュータとＰＤＡと同様に移動体電話に関しても、最終ユーザは多くの矛盾する要求を有する。基本的に、装置は可能な限り小さくそして軽量であるべきである。さらに、装置はますます多くの先進機能を提供し、長いバッテリ時間を有し、そしてユーザ・フレンドリなインタフェースを有するべきである。それでもなお、装置の中には限られた量のスペースしかなく、競争力を有するためには装置の部品が注意深く梱包されていなければならない。例えば移動体電話の小型なサイズは、ユーザ・インタフェース、典型的にはディスプレイと一組のキーとが制限されることも意味する。様々な機能と記憶された項目とにアクセスするために、様々な種類のメニュー・システムがしばしば採用される。それでもなお、どのメニュー・ラベルの下を検索するかが決して明確でない場合には、所定の項目を見つけることが難しいこともあるかもしれない。
【０００４】
ディジタル写真撮影の分野では、タグ付けの概念が過去に多くの興味を得てきている。タグはキーワードやカテゴリ・ラベルのようなものであり、ディジタル写真に割り当てることができ、共通点を有する写真を見つけるのに有用である。典型的に、それぞれの写真に望むだけ多くのタグを割り当てることが可能である。さらに、写真すわなち画像ファイルが１人以上の人からアクセス可能なところ、例えばネットワーク・サーバ上に記憶されている場合に、異なるユーザが異なるタグを写真に付けることも可能であるかもしれない。
【０００５】
一方、ある電話呼が応答済みである場合であってユーザが再発信を望むときは、一般に、削除されていない限り、通話の追跡のために着信履歴を検索することができる。同様に、メッセージが送信または受信されたか、そしてそれがいつなのかをユーザが確認したがる場合に、メッセージの受信箱と送信箱とが調査されてもよい。
【０００６】
電子装置を用いて実行された過去のイベントを追跡することの課題に関する問題は、異なる種類のイベントが異なる方法で、および異なるメニュー・チャネルを通じて調査されなければならないことである。このことは、イベント・レコードの検索を時間を食うものとし、探しているものを見逃す危険性を増加させる。
【発明の概要】
【発明が解決しようとする課題】
【０００７】
従って、本発明の一般的な目的は、電子装置を用いて実行されるイベントに関連するデータを記憶する解決策を提供することであり、これにより、このようなイベント関連のデータを後から検索することが容易となる。
【課題を解決するための手段】
【０００８】
第１の形態によれば、この目的は、電子装置にデータを記憶する方法であって、
前記電子装置を用いて実行及び記憶されたイベントに関連するデータに割り当て可能なタグを定義するステップと、
前記タグを用いる時間期間を定義するステップと、
前記時間期間の間に前記電子装置を用いて記憶されたすべてのイベントに関連するデータに前記タグを割り当てるように前記電子装置を構成するステップと
を備えることを特徴とする方法によって達成される。
【０００９】
ある実施形態では、この方法は、複数のタグを備えるタグ目録を生成するステップであって、該タグ目録において、それぞれのタグは、該それぞれのタグと一緒に記憶された前記イベントのリストを開くために、ユーザ・インタフェースによりアクセス可能であるステップを備える。
【００１０】
ある実施形態では、時間期間を定義する前記ステップは、今後用いられる前記タグを設定することによって開始時刻を定義するステップと、前記タグの使用を終了するコマンドの入力によって停止時刻を定義するステップとを含む。
【００１１】
ある実施形態では、時間期間を定義する前記ステップは、前記タグが使用される開始時刻と停止時刻とを定義するステップを含む。
【００１２】
ある実施形態では、前記イベントは、前記電子装置の移動体電話機能への及び移動体電話機能からの電話呼を含む。
【００１３】
ある実施形態では、前記イベントは、前記電子装置へ及び前記電子装置から送信された電子メッセージを含む。
【００１４】
ある実施形態では、前記イベントは、前記電子装置において受信された仮想名刺を含む。
【００１５】
ある実施形態では、前記イベントは、前記電子装置のディジタルカメラ機能を用いてキャプチャされたディジタル写真を含む。
【００１６】
ある実施形態では、前記イベントは、前記電子装置のディジタルビデオ・レコーダ機能を用いてキャプチャされたビデオ・データを含む。
【００１７】
ある実施形態では、前記イベントは、前記電子装置のオーディオ・レコーダ機能を用いてキャプチャされたオーディオ・データを含む。
【００１８】
ある実施形態では、前記イベントは、前記電子装置において生成された又は受信されたコンピュータ・ファイルを含む。
【００１９】
ある実施形態では、タグを定義する前記ステップは、複数の特定のイベントから、どのタイプ又はタイプ群のイベントにタグ付けするかを選択するステップを含む。
【００２０】
ある実施形態では、前記複数の特定のイベントは、ダイアルされた呼及び受信された呼、送信されたメッセージ及び受信されたメッセージ、受信された名刺、撮影された写真及び記録されたビデオ又はオーディオのセグメント、ダウンロードされた又は生成されたデータファイル、アクセスされたウェブサイトへのリンクを含むイベント・タイプのグループのうちの少なくとも一つを含む。
【００２１】
ある実施形態では、この方法は、それぞれのタグを用いる時間期間に関連付けられた複数のタグを定義するステップと、
ある時点で記憶されたイベントに関連するデータに、前記時点をカバーする時間期間に関連付けられている２以上のタグを割り当てるステップと
を備える。
【００２２】
第２の形態によれば、本発明は、電子装置に記憶されたデータにアクセスする方法であって、
定義された時間期間の間に前記電子装置を用いて実行及び記憶されたすべてのイベントに関連するデータに割り当てられるタグを選択するために、ユーザ・インタフェースを動作するステップと、
前記選択されたタグと一緒に記憶された前記イベントのリストを提示するステップと、
を備えることを特徴とする方法に関する。
【００２３】
ある実施形態では、複数のタグを備えるタグ目録を提示するステップであって、該タグ目録において、それぞれのタグは、該それぞれのタグと一緒に記憶された前記イベントのリストを開くために、ユーザ・インタフェースによりアクセス可能であるステップを備える。
【００２４】
ある実施形態では、この方法は、
イベントのタイプを選択するために前記ユーザ・インタフェースを動作するステップと、
前記選択されたタグと一緒に記憶されている前記選択されたタイプのイベントのリストを提示するステップと
を備える。
【００２５】
第３の形態によれば、本発明は、電子装置にデータを記憶する方法であって、
前記電子装置において電子カレンダを開くステップと、
前記電子カレンダに時間期間をスケジュールするステップと、
前記電子装置を用いて実行及び記憶されたイベントに関連するデータに割り当て可能であるタグを定義するステップと、
前記時間期間の間に前記電子装置を用いて記憶されたイベントに関連するデータに前記タグを割り当てるように前記電子装置を構成するステップと
を備えることを特徴とする方法に関する。
【００２６】
ある実施形態では、この方法は、
前記スケジュールされた時間期間のための題目を定義するステップと、
前記題目に依存する前記タグのためのタイトルを定義するステップと
を備える。
【００２７】
ある実施形態では、前記タグのためのタイトルを定義する前記ステップは、前記題目をタイトルとして用いるステップを含む。
【００２８】
ある実施形態では、前記タグのためのタイトルを定義する前記ステップは、前記題目の短縮形をタイトルとして用いるステップを含む。
【００２９】
ある実施形態では、前記時間期間の間に前記電子装置を用いて記憶されたイベントに関連するデータに前記タグを割り当てるように前記電子装置を構成する前記ステップは、前記時間期間が所定の長さを超過した場合にだけ前記タグを割り当てるステップを含む。
【図面の簡単な説明】
【００３０】
【図１】本発明の実施形態に従って用いられるように構成された移動体電話の形式の電子装置の一例を概略的に説明する図である。
【図２】図１の電子装置の機能ブロック図を概略的に説明する図である。
【図３】、
【図４】、
【図５】、
【図６】本発明の様々な実施形態に従って、タグを構成し、電子装置を用いて実行されるイベントに関連するタグ付きデータを扱うためのディスプレイ画面を概略的に説明する図である。
【発明を実施するための形態】
【００３１】
本発明の特徴と利点とは、添付の図面を参照する以下の好適な実施形態の記載から明らかとなるだろう。
【００３２】
本説明は、様々なタスクを実行し、様々なタイプのデータを扱って記憶することが可能な電子装置の分野に関する。コンピュータはこのような電子装置の一つの例である。しかしながら、本発明は、最もよく知られた実施例である移動体電話の文脈で説明される。さらに、本記載および添付の請求項に含まれる機能、要素、ステップを示すために用いられる場合に、備えているまたは備えるという用語は、明確に提示されない限り、その他の機能、要素、またはステップの存在を排斥するものと解釈されることは全くない。
【００３３】
ここで、添付の図面を参照しつつ、例示的な実施形態が説明される。
【００３４】
最先端の移動体電話はメッセージの送信および受信に用いられ、電話呼の発信および受信に用いられてもよい。さらに、組み込みのまたは取り付け型のディジタルカメラを備える移動体電話は、写真をキャプチャし、場合によってはビデオ・シーケンスをキャプチャするのにも用いられてもよい。移動体電話は、データファイルをダウンロードし、データファイルを作成するのにも用いられてもよく、多くの他の機能が当てはまると思われる。
【００３５】
図１は、本発明の実施形態を採用するように構成されてもよい典型的な移動体電話の形式である電子機器の外観を説明する。これに対して、図２はブロック図を用いて移動体電話の機能的な特徴を概略的に説明する。図２に示される要素は必ずしも示されるように物理的に分割されている必要はなく、主な関心は構造的な配置ではなく機能的な関連性にあることが留意されるべきである。さらに、移動体電話の外観は図１に示される形をとる必要はなく、変わりに移動体電話は例えば折り畳み型やスライド型や同様のものであってもよい。
【００３６】
移動体電話１０は、基地局１０との無線通信によって、または無線機としての別の移動体装置との直接的な無線通信によって、セルラ無線通信ネットワーク３０において動作するように構成される。無線通信ネットワーク３０は例えばＧＳＭネットワークまたはＷＣＤＭＡ  ３Ｇネットワークであってもよい。さらに、移動体電話１０は、インターネット３２に接続されるアクセスポイント４０を通じてＩＥＥＥ８０２．１１  ＷＬＡＮで動作するように構成された無線信号の送受信機として提供されてもよい。
【００３７】
移動体電話１０は、好適には一組のキー１１を含み、追加的にまたは選択的にタッチパネルのディスプレイを含む入力部を備えるユーザ・インタフェースを含む。ユーザ・インタフェースの出力部は、移動体電話のユーザに情報を提示するためのディスプレイ１２を含む。音声通信の実施のために、好適には、移動体電話１０はさらに、マイク１３とスピーカ１４とを含む。スピーカ１４のほかに、とりわけ警告信号を移動体電話のユーザに提供するために、拡声器として、追加のスピーカ（不図示）が採用されてもよい。そのほかに、または追加的に、音楽のようなオーディオをユーザに提示するスピーカが、典型的に移動体電話に通信可能なように接続可能なヘッドセット（不図示）の形式で提供される。移動体電話１０は、ディジタルカメラ１５も含んでもよい。典型的に、ディスプレイ１５がビューアとして用いられてもよいように、ディスプレイ１２が配置されるのとは反対側にカメラ１５は位置する。これが図１においてカメラ１５が破線で説明される理由である。追加的に、ビデオ会議用の別のカメラ（不図示）がディスプレイと同じ側に含まれてもよい。
【００３８】
図２はブロック図の形式で移動体電話１０を説明する。無線通信装置としての移動体電話１０の実際の機能は本発明に重要ではなく、従って詳細には説明されない。無線ネットワークからのまたは無線ネットワークへの無線信号の送信および受信のために、無線信号送受信器１９が含まれる。例えば、無線信号送受信器１９は、移動体電話ネットワーク３０を通じて通信信号を送信および受信するように構成されたアンテナと回路とを含んでもよい。その他の可能な追加的または代替的な送受信器システム１９は、直接のＷＬＡＮインターネット接続を通じて、またはブルートゥースのようなショートレンジ・プロトコルを用いて、無線信号を受信するように構成されたアンテナと回路とを含んでもよい。無線送受信器１９はコントローラ１８に接続され、コントローラ１８は好適な実施形態において、関連するメモリ空間、オペレーション・ソフトウェア、およびアプリケーション・ソフトウェアを伴うマイクロプロセッサ・システムを表す。コントローラ１８は図２において中央の要素として描かれ、通信セッションの制御だけでなく、カメラ１５の制御やユーザ・インタフェースの管理のような、移動体電話の様々なタスクを実行することに対して責任を負う。ソケット１６も、マイク１７のようなオーディオ受信装置がオーディオ信号の記録のためにどのようにして差し込まれてもよいかの一例として説明される。
【００３９】
移動体電話１０が呼の発信に用いられる場合に、または呼の受信に用いられる場合に、呼の指標が呼リストに記憶される。典型的に、ダイヤルされた呼は一つのリストに置かれ、応答された呼は別のリストに置かれ、見逃された呼は第３のリストに置かれ、その一方で、ほとんどの場合にすべての呼は共通のリストで一緒に見られてもよい。単数又は複数のリストの各項目は通常、タイムスタンプと、ローカルメモリやＳＩＭカードのような電話のメモリ２０内の電話帳に記憶された、電話番号または対象の電話番号に関連付けられた名前のいずれかを用いた遠隔の相手すなわち発信者または受信者の識別子とを含む。簡単のために、実データファイルやログのような様々な種類のデータを記憶する機能を単に説明するために、たった一つのメモリ２０が図面に示されている。しかしながら、当業者は、異なるメモリ回路が使用されるのももっともであることを理解するだろう。
【００４０】
移動体電話１０がカメラ１５を用いた写真の撮影やビデオ・セグメントの記録を行うために用いられる場合に、写真とビデオ・セグメントとのためのデータファイルもまた典型的にメモリ２０の専用の場所に記憶される。後の段階でこれらのファイルにアクセスするために、ディスプレイ１２上に示されるメニュー・システムが用いられ、これを用いてカメラ機能がアクセスされてもよい。カメラ・モードに入った時点で、以前に記憶された写真が読み出されて示されてもよい。
【００４１】
移動体電話が使用される別の分野は仮想名刺（Ｖｉｒｔｕａｌ  ｂｕｓｉｎｅｓｓ  ｃａｒｄ、ＶＢＣ）の交換である。仮想名刺は、従来からある一組の名刺情報、例えば、名前、肩書き、雇用者、住所、および連絡先情報、ならびに場合によっては写真をディジタル形式にしたものとして説明されてもよいが、紙のカードは含まない。名刺は例えばブルートゥースやＩＲ接続を用いて交換されてもよく、その後に移動体電話のメモリ２０の連絡先リストに記憶される。
【００４２】
言及したように、最先端の移動体電話に関する問題は、電話を用いてもよい多くの異なる機能が増加する一方で、総合的な市場の要求のために、そのサイズは必ずとても小さく維持されることである。さらに、様々なタイプのイベントに関連する様々なタイプのデータが様々な方法で様々なフォルダに記憶され、制限されたユーザ・インタフェースで見つけることはやりにくいかもしれない。
【００４３】
本発明の実施形態によれば、コントローラ１８は、事前にタグを定義し、タグを使用する終点がない（ｏｐｅｎ）又は終点がある（ｃｌｏｓｅｄ）時間期間を設定することによって、移動体電話を用いて実行される任意のイベントにタグ付けするようにユーザが移動体電話を設定することが可能となるように構成される。このように、タグをラベルとして用いることによって情報を分類する手段が達成され、これがすべてのイベントに適用され、好適には専用の時間期間内に実行される複数の異なるタイプのイベントに適用される。
【００４４】
図３は移動体電話のユーザ・インタフェース１１、１２を用いて、本発明の実施形態に従って新たなタグがどのように構成されるかを概略的に説明し、図面はディスプレイ１２に提示される情報を示す。各タグは、好適には説明的であり容易に識別できるべきである名前またはラベルが与えられる。さらに、移動体電話がタグを適用する間の時間期間がユーザによって選択される。例えば、時間は、オプションをクリックすることで、「今後」が選択されてもよい。開始時刻と停止時刻とを直接的に入力することも可能である。停止時刻が入力されていない場合に、時間期間は終点がない期間として構成され、これは後の段階でタグが再構成されることによって終了されるべきであることを意味する。好適な実施形態では、１以上のタグを構成することも可能である。より具体的には、時間期間が重複する複数のタグを定義することも好ましい。１以上のタグのそれぞれの時間期間でカバーされる時点において発生したイベントに関連する記憶されたデータは、それから、このようなすべてのタグでタグ付けされる。例えば、一つのタグは、出張に先立って定義され、出張全体をカバーしてもよい。そして、出張とそれに関連付けられたタグとのための時間期間は、例えば１週間であってもよい。特定の旅行の間に、終日続く重要な会議が仕事仲間と開催される。そのとき、特定のタグがこの会議のために、開始された際にまたは前もって定義されてもよい。このタグ構成の結果として、出張の週の間に電子装置により記録されたイベントに関連するデータが出張タグとともに記憶されることになる。さらに、出張の特定の日に発生したイベントに関連するデータは、出張タグと業務会議タグとの両方でタグ付けされるだろう。
【００４５】
好適な実施形態では、電子装置に記憶された電子カレンダにタグを定義することが可能である。言うまでもないが、パーソナル・コンピュータのような別の装置の電子カレンダにタグが定義されてもよく、その後にイベントが実行されまたは検出され、関連するデータがタグ付けされる電子装置にその後にタグが転送される。電子カレンダにおいて、新たな約束をスケジュールすることは典型的に可能であり、スケジュールされた約束を変更することも可能である。各約束に対して時間期間が定義され、好適には約束の題目も入力される。ある実施形態では、タグの構成は、スケジュールされた約束に対する開始時点と停止時点とが関連付けられたタグに対して自動的に用いられるように、カレンダのスケジュール処理に自動的にリンクされる。タグのタイトルが関係する限り、これは実際には異なる方法で構成されてもよい。ある特定の実施形態では、タグのタイトルは、ユーザにより入力されたような約束の題目を読み取ることによって、電子カレンダに含まれるまたはリンクされるコンピュータプログラムにより自動的に選択される。タグは題目を特定するタイトルが与えられてもよい。これに替えて、タグ・タイトルとして用いられる文字または語の最大数を短縮してもよい。約束の題目のための入力フィールドに追加して、図３の一番上の入力フィールドのように、タグ・タイトルのための特定の入力フィールドもカレンダに含まれてもよい。題目入力フィールドに入力された任意の文字列は、その後にタグ・タイトル・フィールドに自動的にコピーされてもよい。ここで、その後に例えば短縮形やより簡潔なタグの定義に手動で修正されてもよい。さらに別の例では、事前に定義されたタグ・タイトルのリストがソフトウェア・コードに含まれてもよく、ここから部分タイトルが選択されてもよい。このような部分タイトルは例えば「仕事−＿＿＿」または「休暇−＿＿＿」というものであり、下線部はより具体的にタイトルを定義するためにユーザによって記入されるデータを示す。
【００４６】
例えば、電子装置のユーザが、「出張」という題目をつけて、電子カレンダに約束を入れたと想定する。それから、ユーザにより約束に対して入力されたような時間期間とともに、タグも自動的に定義される。これに替えて、電子カレンダにおいて「リンク・タグ」チェックボックスもマークされた場合にだけ、タグは定義される。さらに、タグ・タイトル・フィールドが提示される。題目テキストがタグ・タイトル・フィールドにも自動的に提示される場合に、それを修正することは価値があってもよい。さもなければ、タグは余り説明的でなく、電子装置において記憶された複数のタグの中から正しいタグを後から見つけることは難しいだろう。従って、ユーザはタイトル・フィールドの文字列を例えば「ロンドン医療総会２００５」と修正してもよい。すでに概説されてきたものと同様に、カレンダにすでに記憶された他の約束と重複する他の約束を電子カレンダにスケジュールすることが可能であってもよく、またこのようにして重複するタグが定義される。ある実施形態では、電子カレンダに約束がスケジュールされた場合のタグの自動定義は、この約束に対して入力された時間期間が事前に規定された長さを超過する場合にのみ実行される。短い会議に対して特別なタグが生成されるのを避けるために、このような最小の長さは所定の時間数、例えば少なくとも５時間であってもよい。これに替えて、最小の時間期間は１日、２日、またはそれ以上であってもよい。好適には、最小の長さの決定はユーザ・インタフェースを通してユーザによって再構成可能である。
【００４７】
図４は、好適にはディスプレイ１２上のタグ・アイコン（不図示）をクリックすることによって、またはメニュー・システムを用いることによって、読み出されてもよいタグのリストすなわちタグ目録を説明する。タグ目録の最初の項目である「新規定義」を起動すると図３に示されるスクリーンをユーザに示される。最初のタグの後に、以前に使用された複数のタグがリストされ、そのうちの三つが図面にラベルされる。対象の移動体電話１０のユーザは頻繁に旅行する人である。出張および休暇の間に受信された情報および実行されたイベントを分類するために、ユーザはそれぞれの出来事に対して特定のタグを定義している。それぞれの出来事の間に、またはより正確には、対象のタグがアクティブである時間期間の間に、移動体電話を用いて実行された各イベントはタグとともに記憶される。このように、この旅行の間にキャプチャされたすべての写真、ビデオなどはタグ目録からアクセスされてもよい。図３に関して、または上述された電子カレンダの実施形態に関して、期間がいつ始まりいつ終わるかが既知である場合には将来の時間期間に対してタグが定義されてもよいし、またはタグが手動で開始されまたは手動で停止されてもよい。
【００４８】
図５は、タグの二重フレームで示されるように図４のスクリーンから「ロンドン医療総会２００５」タグが選択された際に示されるスクリーンを概略的に説明する。このタグに対するリストの最初の項目は「構成」であってもよく、好適にはこれを活性化することで、タグを非活性化することが可能である図３のスクリーンまたは同様のスクリーンに導かれる。このタグに対する時間期間は構成項目が選択された場合にのみ示されてもよいし、図例えば図５のスクリーンの一番上にあるタイトルとともに示されてもよい。構成項目のもとで、関連する時間期間の間に実行された様々なタイプのイベントに対する複数のメニュー項目が示される。これらの様々なイベントのそれぞれは、任意の写真が実際に撮られたかに関わらず、常に示されてもよい。しかしながら、好適には、このようなイベントが発生するまではメニュー項目はリストに含まれない。現在の例では、ユーザは写真を撮影していて、ビデオ・セグメントを記録していて、メッセージと同様に呼を発信または受信していて、仮想名刺を受信している。説明される実施形態において、これらの様々な種類のイベントは個別のメニュー項目の下に分類されるが、例えばタイプまたは日付の順番ですべてのイベントの指標を一緒に表示することも可能である。さらに、これらが様々なメニュー項目のもとで分類されたとしても、示される「すべて」の選択肢を選択することで、好適には一つの共通のリスト（不図示）にすべてのイベントが示されることになる。好適な実施形態では、電子装置に検索機能も含まれる。検索機能を用いることによって、検索項目の組み合わせに基づいてイベントに関連する情報を検索することが可能となるべきである。例えば、ある実施形態では、タグ・タイトルを入力し、またはリストから選択し、これをイベント・タイプ検索基準と組み合わせることが可能である。そして、検索基準は論理的に、例えば（（タグ・タイトル＝ロンドン医療総会２００５）かつ（イベント・タイプ＝受信呼））であってもよい。このような検索基準は記憶された情報を通じて高速に分類するのに有益である。このような検索機能を実現するのに必要なソフトウェアは最先端技術に基づいてもよい。
【００４９】
図６では、名刺項目が選択されていて、これにより対象のタグの時間期間の間に受信されたすべての名刺の表示がなされ、この表示はスクリーンの一番上で特定される。写真を選択する代わりに、ロンドン医療総会２００５の間にキャプチャされたすべての写真が示されるなどするだろう。呼のような、所定のメニュー項目に対して、例えば応答呼と発信呼とに対するサブメニューを有することが有用かもしれない。
【００５０】
本発明によって、所与の時間期間の間のすべてのイベントに対して用いられるように定義されるタグを用いることによって、電子装置を使用して実行されるイベントに関連するデータを記憶およびアクセスする新規の方法が提供される。情報のフローが増加するにつれて、および単一の電子装置で用いられてもよい機能とサービスとのリストが長くなるにつれて、記憶されたデータの中をナビゲートする支援の必要性が大きくなる。本発明は、進んだ技術的熟練または甚大なユーザ対話を要求せずに、このシナリオに対して有用な方法を提供する。例えば、ユーザが、ある人に一度会い、仮想名刺を受信したことを自覚しているが、その人の名前と会議が行われた正確な時間とが思い出せないことを想像しよう。記憶された膨大な名刺の中から情報を見つけることは時間を食うことであるだろう。しかしながら、ユーザはその人と会った環境を思い出す場合、つまりロンドンでの医療総会においてあったことを思い出す場合に、タグ概念はとても有用であり、正しい名刺が存在するだろう限られた名刺のリストに、たいがいはユーザをほんの数ステップで導くだろう。
【００５１】
本発明の原理は前述の実施形態の例すなわち実施例によって説明されてきた。しかしながら、本発明は上述の特定の実施形態に制限されるものとして解釈されるべきではなく、特定の実施形態は制限ではなく例示とみなされるべきである。前述において、タグはすべてのイベントに用いられるものとして定義された。ある実施形態では、上述のもののように、所定の数のイベント・タイプから、例えば、ダイヤルされた呼および受信された呼、送信されたメッセージおよび受信されたメッセージだけでなく、例えばダウンロードされたまたは作成されたデータファイル、アクセスされたウェブサイトへのリンクなどを含むすべての種類のイベントに対してタグ付けは実行される。このリストはもちろん長くなり得るだろう。
【００５２】
別の例として、図３の画面において、タグは、写真とビデオとの少なくとも何れかだけのような、または、名刺だけのような、もしくは、これらの両方だけのような、一つまたは制限された数の選択されたイベントのタイプに限ったすべてのイベントに割り当てられるように構成されてもよい。このような実施形態では、図３のスクリーンにおいて、先程リストされたイベント・タイプのような、任意の１以上の数のリストされたイベント・タイプを活性化するためにクリックすることによって、タグへのイベントの選択がなされる。
【００５３】
添付の特許請求の範囲により規定される本発明の範囲から外れることなく、説明された実施形態において当業者によって様々な変形がなされてもよいことが理解されるべきである。
【図１】
0005508015.tif 000002
【図２】
0005508015.tif 000003
【図３】
0005508015.tif 000004
【図４】
0005508015.tif 000005
【図５】
0005508015.tif 000006
【図６】
0005508015.tif 000007